Podtech/llm-jp-corpus-v4-ja_patent huggingface dataset:
(57)【要約】【課題】ギター練習中あるいは演奏中にコードの押指位置を容易に確認することができるギターコード押指位置表示シートを提供すること。【解決手段】その両端を結合することで円筒となるシートの一方の表面にギターコードの押指位置が記載されていることを特徴とするギターコード押指位置表示シート。【選択図】図３
0003111634.tif 000002
【実用新案登録請求の範囲】
【請求項１】
その両端を結合することで円筒となるシートの一方の表面にギターコードの押指位置が記載されていることを特徴とするギターコード押指位置表示シート。
【請求項２】
シートの両端を面ファスナーで結合する請求項１に記載のギターコード押指位置表示シート。
【請求項３】
シートの他面に楽譜などの収納部を設けた請求項１に記載のギターコード押指位置表示シート。
【請求項４】
使用時に円筒となし、それを腕に装着する請求項１〜３のいずれか１項に記載のギターコード押指位置表示シート。
【考案の詳細な説明】
【技術分野】
【０００１】
本考案は、練習中あるいは演奏中にギターコードの押指位置を確認することができる円筒状にして腕に装着して使用するギターコード押指位置表示シートに関する。
【背景技術】
【０００２】
初心者用のギター教則本には、楽譜の上部余白に、その楽譜で使用するコードの押指位置が記載されているものもあるが、一般のギター演奏用楽譜にはコードの押指位置が記載されてはいない。ギター演奏に習熟した人でも頻繁に演奏するコードは自然に各弦の所定の位置を押指するが、滅多に演奏しないコードは押指位置が分からない場合がある。初心者においては、よく演奏するコードでも押指位置がわからなくなる場合が多い。この問題を解決するために、例えば、着脱可能にギター本体に設置し、ギターを弾きながら各ギターコードの押指位置（弦の種類、フレットの位置と使用する左手指の関係）が確認できる指押え位置表示器が提案されている（特許文献１）。しかし、もっと簡便な方法が求められている。
【特許文献１】登録実用新案第３０８２７４５号公報
【考案の開示】
【考案が解決しようとする課題】
【０００３】
本考案は、上記事情に鑑み、ギター演奏中にコードの押指位置を容易に確認することができるギターコード押指位置表示シートを提供するものである。
【課題を解決するための手段】
【０００４】
本考案は、その両端を結合することで円筒となるシートの一方の表面にギターコードの押指位置が記載されていることを特徴とするギターコード押指位置表示シートである。
【考案の効果】
【０００５】
本考案のギターコード押指位置表示シートは、それを円筒状にして腕に装着しても、あるいはテーブルなどに置いてギター演奏中あるいは練習中にギターコードの押指位置を初心者からベテランに至るまで容易に確認することができる。
【考案を実施するための最良の形態】
【０００６】
本考案を図面に基づいて説明する。本考案のギターコード押指位置表示シートは、図１（１）に示すようにその両端が重なるように丸くすることで容易に円筒になる適当な厚さの紙あるいはプラスチック製の、例えば、短辺が約２０ｃｍ程度で、長辺が下腕（肘と手首の間）の太さ程度、約４５ｃｍ程度のシートで、表面に図１（２）に示すように、例えばハ長のメジャー、マイナー、セブンスなどのコード（Ｃ、Ｃｍ、Ｄ7など）の押指状態（例えば、図１（３）に例示するように、Ｃのメジャーでは人差し指（１）で第２弦の第１フレットを、中指（２）で第４弦の第２フレットを、薬指（３）で第５弦の第３フレットを押さえる、第１、３および６弦は開放したまま（押弦しない））のように、各コードにおける弦の種類とフレットの位置（黒丸（開放弦は白丸）と第６弦下方の１、２などの数字）と押さえる指（１、２などの数字を黒丸の横あるいは中に記載）との相関を示したものをコードの種類とともにマス目内に記載したものである。
【０００７】
コードの押指が記載されたマス目の配置は、特に制限されず、例えば、上記例のようにハ調などの各調についてマス目の上から下へ順にメジャー、マイナー、セブンス、メジャーセブン、マイナーセブンなどを記載し、使用頻度の高いコードがマスメ目の上方に位置するように配置する。
【０００８】
上記のコードが記載されたシートは、円筒形状にするために両端を結合させるが、図２に示すようにシート表面の一方の端部と、シート裏面の他方の端部に面ファスナーを貼り付け、両端を重ねて面ファスナーで結合させる。結合の方法は他の方法であってもよい。図示のシートの形状は長方形であるが、本考案においてはシートの形状は長方形に限定されず、例えば、正方形、円形、楕円形など任意の形状でよい。好ましくは長方形である。
【０００９】
円筒状にしたギターコード押指位置表示シートは、図３に示すように左右の腕の見やすい方に装着して使用される。また、上記円筒状シートをテーブルなどに置いて使用することもできる。また、図４に示すように、必要により上記シートの裏面に透明などのシートを貼り付けて、例えば、上部開放の袋として楽譜を収納し、あるいはコード押指表示が裏面となるように上記シートを円筒状として譜面台として使用することもできる。
【産業上の利用可能性】
【００１０】
本考案のギターコード押指位置表示シートは、それを円筒状にして腕に装着しても、あるいはテーブルなどに置いてギター練習中あるいは演奏中にギターコードの押指位置を初心者からベテランに至るまで容易に確認することができる。
【図面の簡単な説明】
【００１１】
【図１】本考案の１例を説明する概略平面図（１）、コードの記載例（２）、コードの押指例（３）である。
【図２】本考案例を円筒状にする様子を説明する斜視図である。
【図３】本考案例の使用状態を説明する概略斜視図である。
【図４】本考案例の使用状態を説明する概略斜視図である。
【図１】
0003111634.tif 000003
【図２】
0003111634.tif 000004
【図３】
0003111634.tif 000005
【図４】
0003111634.tif 000006
(57)【要約】      （修正有）【課題】構造が簡単で丈夫な、誰でも簡単にピアス及びピアス型飾りを着脱できる眼鏡の提供。【解決手段】ヨロイ3やテンプル4に開けた穴、8,9,10にピアス及びピアス型飾りを取り付け、横からのファッションを楽しみ、山2やヨロイ3にあけた穴6,7にピアス及びピアス型飾りを取り付け、正面からのデザイン性を楽しみ、いろいろなピアス等に付け替えることにより、オリジナル製を高めるものである。各パーツにピアス及びピアス型飾りの先端にキャップ16を取付け、安全性を増した。【選択図】図２
0003111612.tif 000002
【実用新案登録請求の範囲】
【請求項１】
眼鏡枠15の枠1、山2、レンズ12、ヨロイ3、テンプル4、モダン5にそれぞれ穴6,7,8,9,10,11,12,13,14を開けたことを特徴とする眼鏡。
【請求項２】
眼鏡15の枠1、山2、レンズ12、ヨロイ3、テンプル4、モダン5にそれぞれ穴6,7,8,9,10,11,12,13,14を開けたことを特徴とする眼鏡において、ピアス及びピアス型飾り17,18を着脱可能にしたことを特徴とする眼鏡。
【考案の詳細な説明】
【技術分野】
【０００１】
本考案は、眼鏡の各部分に穴を開け、ピアス及びピアス型飾りを取り替えることによって、デザインを楽しんだり、実用性を高めることができる、ピアス及びピアス型飾り着脱式眼鏡に関するものである。
【背景技術】
【０００２】
最近の眼鏡では、ファッション性を出すため、さまざまなデザインと、カラフルな装飾により商品開発を行ってきた。それらは、すべて、眼鏡本体と一体化したものである
【０００３】
そのため、眼鏡に穴を開けてもネジ穴として利用するか、もしくは,その穴に七宝を塗ったり、飾りをはめ込む方法として使われていた。
【考案の開示】
【考案が解決しようとする課題】
【０００４】
本考案は、従来の『ピアスは耳に付ける』という概念を捨てピアス及びピアス型飾りを眼鏡に取り付けるということを概念に眼鏡を作ることを技術的課題とした
【課題を解決するための手段】
【０００５】
本考案が、上記課題を解決するために採用した手段を添付図面を参照して説明すれば、次のとおりである。
【０００６】
すなわち、本考案は、眼鏡本体15のそれぞれのパーツである、枠1、山2、レンズ12、ヨロイ3、テンプル4、モダン5において、各パーツにピアス及びピアス型飾り17,18の先端にキャップ16を取り付け、安全性を増した。
【実施例】
【０００７】
本考案は、従来、眼鏡とは関係のないピアスを眼鏡に取り付けることによりファッション性、デザイン性、実用性を高めるものである。
【０００８】
ヨロイ3やテンプル4に開けた穴、8,9,10にピアス及びピアス型飾り17,18を取り付け、横からのファッションを楽しみ、山2やヨロイ3にあけた穴6,7に17,18を取り付け、正面からのデザイン性を楽しみ、いろいろなピアス等に付け替えることにより、オリジナル製を高めるものである。
【図面の簡単な説明】
【０００９】
【図１】眼鏡本体とピアス及びピアス飾り。
【図２】本考案の実施例における眼鏡。
【符号の説明】
【００１０】
１  枠
２  山
３  ヨロイ
４  テンプル
５  モダン
６  穴（山）
７  穴（ヨロイ正面）
８  穴（ヨロイ側面）
９  穴（テンプル）
１０  穴（テンプル予備）
１１  穴（モダン）
１２  レンズ
１３  穴（レンズ）
１４  穴（枠）
１５  眼鏡本体
１６  キャップ
１７  ピアス及びピアス型飾り
１８  ピアス及びピアス型飾り
【図１】
0003111612.tif 000003
【図２】
0003111612.tif 000004
(57)【要約】【課題】コストが低廉で、構造が簡単な、光線を均一にセンサーユニット下方へ投影するセンサーユニット画像取込フラッシュ補助モジュールを提供する。【解決手段】カッティングプロッタなどの自動位置決めシステムを具えた機台に設置するセンサーユニット画像取込フラッシュ補助モジュールであって、上外体１と下外体２を備え、上外体内部には仕切板を挟んでセンサーユニット３を配置する孔と、少なくとも一個のＬＥＤ照明光源４を配置する孔が設けられ、下外体内部表面は粗面２４に形成されて、上外体のＬＥＤ照明光源に対応する下方は傾斜面に成形されることにより、光源からの光は効果的に散乱されて均一に照射される。【選択図】図５
0003111904.tif 000002
【実用新案登録請求の範囲】
【請求項１】
自動位置決めシステムを具えた機台に設置するセンサーユニット画像取込フラッシュ補助モジュールにおいて、
上外体と下外体からなり、上外体内部には仕切板を設けると共に、その上にセンサーユニットを配置する孔と少なくとも一個のＬＥＤ照明光源を配置する孔を貫設し、下外体内部表面を粗面に形成し、上外体のＬＥＤ照明光源を配置する孔に対応する下方には傾斜面を形成してなることを特徴とするセンサーユニット画像取込フラッシュ補助モジュール。
【請求項２】
前記センサーユニットは、電荷結合素子（ＣＣＤ），シーモス（ＣＭＯＳ），  ＣＣＤ/ＣＭＯＳ  ＨｙｂｉｒｄもしくはＣＩＤの中の一種とすることを特徴とする請求項１記載のセンサーユニット画像取込フラッシュ補助モジュール。
【請求項３】
前記センサーユニットを配置する孔と、少なくとも一個のＬＥＤ照明光源を配置する孔は、上外体仕切板の左右に配置することを特徴とする請求項１記載のセンサーユニット画像取込フラッシュ補助モジュール。
【請求項４】
前記下外体は、内部に収容空間を形成し、更に下外体には掛合部を設置し、上外体最上部は自動位置決めシステム上に固定し、その底部に掛合部を成形し、下外体の掛合部と掛合した後、上外体底部が下外体の収容空間内に嵌合されることを特徴とする請求項１記載のセンサーユニット画像取込フラッシュ補助モジュール。
【考案の詳細な説明】
【技術分野】
【０００１】
本考案は、カッティングプロッタなどのセンサーユニット画像取込フラッシュ補助モジュールに関するもので、コストが低く、構造が簡単で、光線を均一にセンサーユニット下方へ投影し、自動位置決めシステムを具えたカッティングプロッタ、カッター、感熱プリンタ等の機器に使用するものである。
【背景技術】
【０００２】
一般的なカッティングプロッタ等の機器設備の自動位置決めシステムには、全てフラッシュ補助モジュールが設置され、良好な光線環境と輝度を提供する。しかし、どのように有効に光を当て、最良な輝度を得るかが最も重要である。
【特許文献１】特開２００５−３２１７８号公報
【考案の開示】
【考案が解決しようとする課題】
【０００３】
解決しようとする問題点は、フラッシュモジュールには高価なフラッシュ装置が使われ、更にモジュール全体が複雑で組立も不便であるため、コストも上がる。だが、その光線は理想的なものではない点である。
【課題を解決するための手段】
【０００４】
本考案は、自動位置決めシステムを具えた機台に設置するもので、上外体と下外体を含む。上外体内部には仕切板が設置され、その板上にはセンサーユニットを置く孔と、少なくとも一個のＬＥＤ照明光源を置く孔が貫設される。また下外体内部表面は粗面で、上外体のＬＥＤ照明光源を置く孔に対応する下方には傾斜面が成形されることを最も主要な特徴とする。
【考案の効果】
【０００５】
本考案のセンサーユニット画像取込フラッシュ補助モジュールは、下述の利点がある。
先ず、構造が簡単なため、組立しやすい。更に実施時、一個のＬＥＤ照明光源を使用するだけでいいので、全体コストが大幅に下がる。
次に下外体内部表面は粗面であり、更に下外体のＬＥＤ照明光源を設置する孔に対応する下方には傾斜面が設置され、そのため上外体のＬＥＤ照明光源がフラッシュすると、光線は傾斜面の粗面を通して散射され、ＣＣＤレンズ下方に均一に投影され、良好なフラッシュ効果を得る。
【考案を実施するための最良の形態】
【０００６】
図１から図５は、センサーユニット画像取込フラッシュ補助モジュールの一実施例であり、上外体１と下外体２が組み合わさる。
【０００７】
このセンサーユニット画像取込フラッシュ補助モジュールは、カッティングプロッタの自動位置決めシステム等に設置され、センサーユニット３は、電荷結合素子（ＣＣＤ）、シーモス（ＣＭＯＳ）、ＣＣＤ/ＣＭＯＳ  ＨｙｂｉｒｄもしくはＣＩＤの一種とする。
【０００８】
上外体１内部には仕切板１１が設けられ、その上にセンサーユニット３を配置する孔１１１と、少なくとも一個のＬＥＤ照明光源４を設置する孔１１２を設ける。更にセンサー部品３を置く孔１１１とＬＥＤ照明光源４を配置する孔１１２は仕切板１１の左右に配置する。
【０００９】
下外体２内部表面は粗面２４で、且つ上外体１のＬＥＤ照明光源４を配置する孔１１２に対応する下方には傾斜面２１が形成される。下外体２内には収容空間２２が設けられ、更に下外体２には掛合部２３が設けられる。上外体１最上部は自動位置決めシステムに固定され（図未提示）、その底部は掛合対応部１２が設けられ、下外体２の掛合部２３と掛合して上外体１底部が下外体２の収容空間２２内に嵌合される。
【００１０】
実施時、図４，５に示すとおり、先ず上外体１を下外体２に嵌合し、センサーユニット３（例としてＣＣＤ）を孔１１１上に配置する。別の孔１１２にはＬＥＤ照明光源４を配置する。これらの構成によって作動させると、上外体１仕切板１１孔１１２上のＬＥＤ照明光源４が光線を照射し、下外体２傾斜面２１粗面２４の散乱効果によって、センサーユニット３を置いた孔１１１の下方に均一に投影され、良好なフラッシュ効果を提供する。
【図面の簡単な説明】
【００１１】
【図１】本考案実施例の立体外観分解図である。
【図２】本考案実施例の上外体の俯瞰図である。
【図３】本考案実施例の上外体と下外体結合後の立体外観図である。
【図４】本考案実施例の上外体と下外体結合後の断面図である。
【図５】本考案実施例の使用状態断面図である。
【符号の説明】
【００１２】
１        上外体
１１        仕切板
１１１        孔
１１２        孔
１２        掛合対応部
２        下外体
２１        傾斜面
２２        収容空間
２３        掛合部
２４        粗面
３        センサーユニット
４        ＬＥＤ照明光源
【図１】
0003111904.tif 000003
【図２】
0003111904.tif 000004
【図３】
0003111904.tif 000005
【図４】
0003111904.tif 000006
【図５】
0003111904.tif 000007
(57)【要約】      （修正有）【課題】ヘアーピン又は止めゴムを使用して頭髪に取り付けることができるヘアーエクステンションを提供する。【解決手段】毛髪、繊維その他の毛を数本〜数十本束ねてなる毛束２と、該毛束２の上端部を固定する固定具３と、固定具３に鎖４を介して連結された取り付け具５とを備え、前記固定具３は前記毛束２の上端部が束ねられた状態で挿入されて接着される有底円筒部６と、該有底円筒部６の底部７から前記毛束２と反対側に突出して一体に形成され且つ前記鎖４が取り付けられるリング部９とを有する。【選択図】図５
0003111925.tif 000002
【実用新案登録請求の範囲】
【請求項１】
毛髪、繊維その他の毛を数本〜数十本束ねてなる毛束（２）と、該毛束（２）の上端部を固定する固定具（３）と、固定具（３）に鎖（４）を介して連結された取り付け具（５）とを備え、前記固定具（３）は前記毛束（２）の上端部が束ねられた状態で挿入されて接着される有底円筒部（６）と、該有底円筒部（６）の底部（７）から前記毛束（２）と反対側に突出して一体に形成され且つ前記鎖（４）が取り付けられるリング部（９）とを有することを特徴とするヘアーエクステンション。
【請求項２】
前記取り付け具（５）に連結され且つ頭髪（１１）に着脱自在に取り付けるためのヘアーピン（１０）を備えたことを特徴とする請求項１に記載のヘアーエクステンション。
【請求項３】
前記取り付け具（５）に連結され且つ頭髪（１１）に着脱自在に取り付けるための止めゴムを備えたことを特徴とする請求項１に記載のヘアーエクステンション。
【考案の詳細な説明】
【技術分野】
【０００１】
本考案は、頭髪に取り付けて髪飾りとして使用するヘアーエクステンションに関するものである。
【背景技術】
【０００２】
従来から、毛髪、繊維その他の毛を数本〜数十本束ねてなる毛束を備え、頭髪に着脱自在に取り付けて髪飾りとして使用するヘアーエクステンションが既に提案されている（特許文献１）
【特許文献１】特開平２００２−２０９２２号公報
【考案の開示】
【考案が解決しようとする課題】
【０００３】
従来のヘアーエクステンションは、その毛束の上端部を複数本の頭髪に編み合わせて取り付けるようにしている。
【０００４】
本考案は、このような従来の取り付け方に鑑み、ヘアーピン又は止めゴムを使用して頭髪に取り付けることができるヘアーエクステンションを提供することを目的とする。
【課題を解決するための手段】
【０００５】
本考案に係るヘアーエクステンションは、毛髪、繊維その他の毛を数本〜数十本束ねてなる毛束２と、該毛束２の上端部を固定する固定具３と、固定具３に鎖４を介して連結された取り付け具５とを備え、前記固定具３は前記毛束２の上端部が束ねられた状態で挿入されて接着される有底円筒部６と、該有底円筒部６の底部７から前記毛束２と反対側に突出して一体に形成され且つ前記鎖４が取り付けられるリング部９とを有するものである。
【０００６】
前記取り付け具５に連結され且つ頭髪１１に着脱自在に取り付けるためのヘアーピン１０を備えてもよいし、前記取り付け具５に連結され且つ頭髪１１に着脱自在に取り付けるための止めゴムを備えてもよい。
【考案の効果】
【０００７】
本考案では、ヘアーピン１０又は止めゴムを使用して頭髪に取り付けることができる。
【考案を実施するための最良の形態】
【０００８】
以下、本考案の実施例を図面に基づいて詳述する。図１は頭髪にヘアーエクステンション１を取り付けた使用状態を示し、図２〜図１０にそのヘアーエクステンション１の詳細を例示する。
【０００９】
ヘアーエクステンション１は、図１〜図４に示すように、毛髪、繊維その他の毛を数本〜数十本束ねてなる毛束２と、この毛束２の上端部を固定する固定具３と、固定具３に鎖４を介して連結された取り付け具５とを備えている。
【００１０】
固定具３は、図６〜図１０に示すように、毛束２の上端部が束ねられた状態で挿入されて接着される有底円筒部６と、この有底円筒部６の底部７から毛束２と反対側に突出して一体に形成され且つ鎖４のリング８が取り付けられるリング部９とを備えている。
【００１１】
取り付け具５は鎖４の先端に連結されており、この取り付け具５には頭髪１１に着脱自在に取り付けるためのヘアーピン１０が連結されている。なお、ヘアーピン１０に代えて止めゴムを使用し、その止めゴムを介して頭髪１１に取り付けるようにしてもよい。
【００１２】
ヘアーエクステンション１を髪飾りとして使用する場合には、図１に示すようにヘアーピン１０又は止めゴムを介して頭髪１１に着脱自在に取り付ける。
【図面の簡単な説明】
【００１３】
【図１】本考案の一実施例を示すヘアーエクステンションの使用状態の正面図である。
【図２】本考案の一実施例を示すヘアーエクステンションの正面図である。
【図３】本考案の一実施例を示すヘアーエクステンションの平面図である。
【図４】本考案の一実施例を示すヘアーエクステンションの背面図である。
【図５】図３のＡ−Ａ間の拡大正面図である。
【図６】図３のＡ−Ａ間の拡大平面図である。
【図７】本考案の一実施例を示すヘアーエクステンションの拡大左側面図である。
【図８】本考案の一実施例を示すヘアーエクステンションの拡大右側面図である。
【図９】図２のＢ−Ｂ間のＣ−Ｃ断面図である。
【図１０】図２のＤ−Ｄ拡大端面図である。
【符号の説明】
【００１４】
１  ヘアーエクステンション
２  毛束
３  固定具
４  鎖
５  取り付け具
６  有底円筒部
７  底部
９  リング部
１０  ヘアーピン
【図１】
0003111925.tif 000003
【図２】
0003111925.tif 000004
【図３】
0003111925.tif 000005
【図４】
0003111925.tif 000006
【図５】
0003111925.tif 000007
【図６】
0003111925.tif 000008
【図７】
0003111925.tif 000009
【図８】
0003111925.tif 000010
【図９】
0003111925.tif 000011
【図１０】
0003111925.tif 000012
(57)【要約】      （修正有）【課題】プライベート空間を作る簡易テントの提供。【解決手段】パイプを４本用意し、それぞれをＪ字型に先の部分を曲げ、その先端に穴をあけボルトで止め、そのパイプを扇型のように広げる（上から見て十字型になるようにする）。それを元にビニール等でカバーを作り、それをパイプにかぶせ、１番目、２番目、３番目のパイプにビニール等のカバーに付いてる紐で、結わい付け、仕舞うときは、１番目のパイプと２番目のパイプを重ね、２番目のパイプに３番目のパイプを重ね、３番目のパイプに４番目のパイプを重ねて折り畳みが完成する。４番目のパイプに紐が結わえ付けないのは、折りたたんだ時、ビニール等のカバーがずれるためである。【選択図】図１
0003111926.tif 000002
【実用新案登録請求の範囲】
【請求項１】
非透水性の布状の幕と、その幕を支える細い骨組みで構成され、それらが１点を中心に折り畳まれた簡易テント
【考案の詳細な説明】
【技術分野】
【０００１】
本考案は、プライベートの空間を作る、簡易テントに関するものである。
【背景技術】
【０００２】
簡易テントとしてキャンプ用、架設テントが、あったが、一人で容易に張れるテントはなかった。
【考案の開示】
【考案が解決しようとする課題】
【０００３】
非常時など、一人で簡単に張れるテントを提案する。
【課題を解決するための手段】
【０００４】
非透水性の布状の幕（以後ビニール等という）、その幕を支える細い骨組みで構成され、それらが１点にを中心に折り畳まれた簡易テントで、その骨組みは逆Ｊ字型のパイプ４本用意し、Ｊ字型パイプの曲がった方の先を扇型の要とする。
【０００５】
パイプ１本目と２本目に、ビニール等のカバー１枚目を紐で取り付ける。パイプ２本目と３本目に、ビニール等のカバー２枚目を同じく紐で取り付ける。パイプ３本目と４本目に、ビニール等のカバー３枚目を同様に紐で取り付ける。パイプ４本目と１本目に、ビニール等のカバー４枚目を同じく紐で取り付ける。４本目とビニール等のカバーとは固定しない。この場合ビニール等のカバー４枚は縦長に横に縫いあわせてある。平生はパイプを同じ方向に重ねて格納してある。
【０００６】
４本のパイプを扇型に広げ、最後は上からみて十字型に開き、各パイプを台にはめこめばテントの完成。このテントをエチケットハウスとよぶ。
【０００７】
請求項１記載のテントすなはちエチケットハウス
【考案の効果】
【０００８】
どんな場所でも、いつでもプライベートな空間を作ることが出来る。
洋服や水着など、着替えができる。
【０００９】
ポータブルトイレを用意すれば簡易トイレにもなる。（特に身障者には移動しなくとも、その場で設置すれば用をたせる。
【考案を実施するための最良の形態】
【００１０】
ビニール等のカバーを取付けたの逆Ｊ字型のパイプを、１番目と２番目を、４５度に開き、同じく２番目と３番目を４５度に開き、同様に３番目と４番目も４５度に開くと、４番目と１番目が自然に４５度に開く。それを正方形のマット（台）に乗せて、エチケットハウスの完成。
【図面の簡単な説明】
【００１１】
【図１】本考案の一実施例を示す斜視図である。
【図２】本考案の一実施例を示す平面図である。
【図３】本考案の一実施例を示し、逆Ｊ字型のパイプの先端部分４本が、閉じている状態を示している図である。
【図４】本考案の一実施例を示し、逆Ｊ字型のパイプの先端部分４本が、開き始めた状態を示している図である。
【図５】本考案の一実施例を示し、逆Ｊ字型のパイプの先端部分４本が、完全に開いた状態を示している図である。
【符号の説明】
【００１２】
１    １本目の逆Ｊ字型のパイプ
２    ２本目の逆Ｊ字型のパイプ
３    ３本目の逆Ｊ字型のパイプ
４    ４本目の逆Ｊ字型のパイプ
５    エチケットハウスの中敷マット
６    ビニール等のカバーをファスナーで開閉式の扉
７    ４本の逆Ｊ字型のパイプの扇型の要
８    十字型に広げた逆Ｊ字型のパイプにビニール等のカバーをかぶせた状態
【図１】
0003111926.tif 000003
【図２】
0003111926.tif 000004
【図３】
0003111926.tif 000005
【図４】
0003111926.tif 000006
【図５】
0003111926.tif 000007
(57)【要約】      （修正有）【課題】故人の戒名、俗名、行年、命日、及び年忌日等の情報を予知することによって、各関係者への法要日の事前調整ができ、最善の供養を提供できる。【解決手段】本体１と脚部２及び３から構成している。本体１は、正面に向かって右端より、戒名、命日、俗名、行年、及び故人の命日から年忌日を算出し、一周忌から百回忌までを洋暦または和歴にて、そして最後に寺名等をレーザー彫刻または手彫りにて施します。その本体を支えるための脚部２及び３に2本溝加工し、そこに本体を差し込みます。【選択図】図１
0003111915.tif 000002
【実用新案登録請求の範囲】
【請求項１】
故人の戒名、俗名、行年、命日及び一周忌から百回忌までの年忌日等の情報を、明記し
たものを特徴とする衝立。                  
【請求項２】
請求項１において、その衝立の材料は、木、合板、石材、金属、樹脂、ガラスのいずれかを組み合わせたものを特徴とする。
【考案の詳細な説明】
【技術分野】
【０００１】
本発明は、故人の年忌日を、遺族が予知しやすくすることにより、故人への法要
が、より円滑に営まれるように具現化したものである。                
【背景技術】
【０００２】
一般的に、故人の法要日は、お寺の住職さんから通知をいただき、遺族側が日取りを
内定して、関係者に連絡致します。通常は、命日又は、それ以前の休日にするのが
慣習です。                                  
【０００３】
ところが、一周忌はともかく、三回忌、七回忌、十三回忌・・・と年数が増えるごとに、遺族側としては、法要の日取りをつい忘れがちになります。当然、法要には場所、予算、人数などの配慮が必要となります。
【０００４】
お寺さんからの通知から、段取りをするより、予め、遺族側としては、その故人の年忌日が明記されていたものが、仏壇の近辺にあれば、いつでもその法要日を内定することができ、事前に各関係者へ案内することが可能となります。したがって、関係者の都合も予め調整することができ、結果的に、より多くの参列者による法要が営まれることになり、最善の供養ができることになります。
【０００５】
また、複数以上の故人の年忌が重なる場合もありますが、その点も本発明では、事前にそのことが確認でき、状況によっては、二つ以上の法要を合わせて行うという判断も、予め、明確となります。
【考案の開示】
【考案が解決しようとする課題】
【０００６】
従来、故人の年忌日としての情報が身近になかったため、遺族側はお寺さんからの法要日開催の通知のみを頼っていた。したがって、法要日の内定は受動的になり、その日取りは通知の案内以降となり、関係者によっては日程が束縛され、法要に参列する機会を失う場合があった。
【課題を解決するための手段】
【０００７】
本発明は、故人の命日から年忌日を、予め算出したものを提供し、且つ、その故人の戒名、俗名、行年、命日、年忌日等も一緒に明記したものを衝立として物理的に成形し、遺族側が故人のすべての情報を、常に見える状態を維持しておくものである。
【０００８】
したがって、遺族側はその衝立の年忌日を予め確認して、能動的に法要日を内定することができ、事前に各関係者へ案内することにより、最良の日取りを設定することができる。そうすることにより、関係者が法要に参列する機会を、１人でも失わないよう、万全の供養を営なまれることを目的とする。
【考案の効果】
【０００９】
本発明の年忌供養衝立を、仏壇の近辺に設置することにより、その故人の戒名、俗名、行年、命日、及び年忌日等の情報を、誰でも、且つ、いつでも視覚で確認することで忘備となる。
【００１０】
その結果、その故人の年忌日を予知することによって、各関係者への法要日の事前調整ができ、最善の供養を提供できる。
【考案を実施するための最良の形態】
【００１１】
本発明の年忌供養衝立は、本体１と脚部２及び３から構成している。本体１は、正面に向かって右端より、戒名、命日、俗名、行年、及び故人の命日から年忌日を算出し、一周忌から百回忌までを洋暦または和歴にて、そして最後に寺名等をレーザー彫刻または手彫りにて施します。その本体を支えるための脚部２及び３に2本溝加工し、そこに本体を差し込みます。その状態で、仏壇及びその近辺へ設置します。経年変化と耐久性をよくするため、木部全体にポリエステル塗装を施します。また、文字を見やすくするために、文字全て金色着色を施します。
【実施例１】
【００１２】
図１は、本発明の年忌供養衝立の完成図である。
【００１３】
図２は、年忌供養衝立の分解図である。本体１は脚部２及び３によって、支えられている。より安定にするために、両端に脚部２及び３を差し込んだほうが、望ましい。
【００１４】
図３は、本体の詳細図である。本体の正面より向かって右端よりその故人のＡ戒名、次ぎの行にＢ命日、さらに、３行目にＣ俗名及びＤ行年を明記する。４行目から１３行目までは、予め命日より算出したＥ年忌及びＦ年忌日を、一周忌から百回忌まで明記する。
但し、その表示は和暦又は洋暦を選択できるものとする。１４行目は、寺名を明記する。
【産業上の利用可能性】
【００１５】
今後、日本はますます高齢化社会に向けて進んでいく状況の中で、それに伴って、故人への供養のほうも、それに比例して頻度が高まるのは事実といえるでしょう。したがって、本発明によるその利用度は、ますます拡大すると考えられます。また一方で、近年、急増する交通事故死、自殺そして他殺などの事件、及び地震などの自然災害など、日々、若い尊い生命が絶たれることに対して、故人への供養は遺族にとってかけがえのないものといえます。法要とは、故人への冥福と成仏を祈って、命日に行うたいせつな儀式なのです。遺族は、法要の意義を今一度、再認識し、丁重に営むよう心得ておくべきではないでしょうか。
【図面の簡単な説明】
【００１６】
【図１】年忌供養衝立の完成図である。
【図２】年忌供養衝立の分解図である。
【図３】年忌供養衝立の本体詳細図である。
【符号の説明】
【００１７】
１  年忌供養衝立の本体  
２  年忌供養衝立の脚部  
３  年忌供養衝立の脚部  
Ａ  戒名
Ｂ  命日
Ｃ  俗名
Ｄ  行年
Ｅ  年忌
Ｆ  年忌日
Ｇ  寺名  
【図１】
0003111915.tif 000003
【図２】
0003111915.tif 000004
【図３】
0003111915.tif 000005
(57)【要約】      （修正有）【課題】人形用衣装における袖部、襟部、裾部等の端縁に好ましいボリューム感と見栄えを備える。【解決手段】鹿子絞りを施した布間に綿を挟入してなる端縁１１を備えていることを特徴とする人形用衣装。この端縁１１には、袖部１の端縁１１ａ、襟部３の端縁１１ｂ、裾部５の端縁１１ｃが含まれる。端縁１５に鮫小紋の布１７を配設したことを特徴とする人形用衣装。この端縁１５には、袖部１の端縁１５ａ、襟部３の端縁１５ｂ、裾部５の端縁１５ｃが含まれる。本考案による人形用衣装には、例えば、雛人形の十二単や束帯等が含まれる。【選択図】図１
0003111911.tif 000002
【実用新案登録請求の範囲】
【請求項１】
鹿子絞りを施した布間に綿を挟入してなる端縁を備えていることを特徴とする人形用衣装。
【請求項２】
端縁に鮫小紋の布を配設したことを特徴とする人形用衣装。
【考案の詳細な説明】
【技術分野】
【０００１】
本考案は、人形用衣装に関するものであり、特に、雛人形、武者人形等の人形用の衣装に係るものである。
【背景技術】
【０００２】
人形用衣装としては、十二単、束帯等種々のものが広く知られている。
【０００３】
実用新案登録第３０４００４１号公報は、表着の表側の適位置につまみ加工からなる飾材を設けたことを特徴とする雛人形用衣装を開示している。
【特許文献１】実用新案登録第３０４００４１号公報
【考案の開示】
【考案が解決しようとする課題】
【０００４】
上記従来の人形用衣装においては、袖部、襟部、裾部等の端縁を構成する材料にボリューム感がなく、これらの端縁が見栄えしないという問題がある。
【０００５】
本考案は、上記従来の人形用衣装における上述の如き問題を解決し、袖部、襟部、裾部等の端縁に好ましいボリューム感と見栄えを備えさせようとしてなされたものである。
【課題を解決するための手段】
【０００６】
上記課題を解決するために、本考案は、下記の人形用衣装を提供する。
【０００７】
（１）鹿子絞りを施した布間に綿を挟入してなる端縁を備えていることを特徴とする人形用衣装（請求項１）。
【０００８】
（２）端縁に鮫小紋の布を配設したことを特徴とする人形用衣装（請求項２）。
【考案の効果】
【０００９】
［請求項１の考案］
鹿子絞りを施した布間に綿を挟入してなる端縁は厚味が大きいため、好ましいボリューム感がある。また、鹿子絞りを施した布は、多数の粒状の隆起部を備えており、極めて美しいものである。従って、このような端縁を備えた人形用衣装は、高級感があり、見栄えの点でも申し分ない。
【００１０】
［請求項２の考案］
端縁に配設した鮫小紋の布は、端縁の縁取り効果を発揮する。鮫小紋は、多数の略半円形を重ねてなる模様を有し、極めて美しいものである。従って、このような端縁を備えた人形用衣装は、高級感があり、見栄えの点でも申し分ない。
【考案を実施するための最良の形態】
【００１１】
本考案による人形用衣装には、例えば、雛人形の十二単や束帯、五月人形の衣装等が含まれる。
【００１２】
図１に示す人形用衣装は、雛人形の十二単である。
【００１３】
図１において、符号１に示すものは袖部、符号３に示すものは襟部、符号５に示すものは裾部である。
【００１４】
図２は、十二単の袖部１を拡大して示す。
【００１５】
本考案による人形用衣装は、鹿子絞りを施した布７ａ、７ｂ間に綿９を挟入してなる端縁１１を備えている。
【００１６】
端縁１１には、袖部１の端縁１１ａ、襟部３の端縁１１ｂ、裾部５の端縁１１ｃが含まれる。
【００１７】
図３は、鹿子絞りを施した布７ａ、７ｂ間に綿９を挟入してなる端縁１１を示す断面図である。
【００１８】
鹿子絞りを施した布７ａ、７ｂは、それぞれ別体の布片であってもよいが、同一の布片を折り返したものであってもよい。
【００１９】
鹿子絞りを施した布７ａ、７ｂは、多数の粒状の隆起部１３、１３・・・を備えている。これらの隆起部１３、１３・・・は、一例として白色である。図３、図４参照。
【００２０】
また、本考案による人形用衣装は、端縁１５に鮫小紋の布１７を配設している。
【００２１】
端縁１５には、袖部１の端縁１５ａ、襟部３の端縁１５ｂ、裾部５の端縁１５ｃが含まれる。
【００２２】
鮫小紋の布１７は、多数の略半円形１９、１９・・・を重ねてなる模様を有する。これらの略半円形１９、１９・・・は、一例として、細かな白色の点により形成されている。図５参照。
【図面の簡単な説明】
【００２３】
【図１】本考案による人形用衣装の一例を示す斜視図である。
【図２】同上人形用衣装の袖部を示す斜視図である。
【図３】端縁の一例を示す断面図である。
【図４】鹿子絞りを施した布の一例を示す平面図である。
【図５】鮫小紋の布の一例を示す平面図である。
【符号の説明】
【００２４】
１  袖部
３  襟部
５  裾部
７ａ  鹿子絞りを施した布
７ｂ  鹿子絞りを施した布
９  綿
１１  端縁
１１ａ  袖部の端縁
１１ｂ  襟部の端縁
１１ｃ  裾部の端縁
１３  隆起部
１５  端縁
１５ａ  袖部の端縁
１５ｂ  襟部の端縁
１５ｃ  裾部の端縁
１７  鮫小紋の布
１９  略半円形
【図１】
0003111911.tif 000003
【図２】
0003111911.tif 000004
【図３】
0003111911.tif 000005
【図４】
0003111911.tif 000006
【図５】
0003111911.tif 000007
(57)【要約】      （修正有）【課題】防災用品を収納し、片側の紐を操作することで手提げバック、リュックになり、取っ手をバック内に収納しファスナーを閉じればクッションとなる収納多機能バックを提供する。【解決手段】バック本体の背面左底部に1本の平型紐２を固定させその端を背面部上方に設けた左右２個の紐通し穴６に通して背面部に出し、片方の端と同様に背面右底部７に固定させる。正面上方部内側に同じ平型紐を逆Ｕ字に固定させる。この紐の固定場所はバック本体上部ファスナーの内側下方にする。この部分は常に同じ長さで手提げバックとしての片側の取っ手となる。一方背面紐は常に可動状態にあり手前に引けばリュックになり上方に引けば手提げバックとなる。上方の紐をバック内に収納しファスナー４を閉じればクッションとしての機能が発揮される。【選択図】図２
0003111952.tif 000002
【実用新案登録請求の範囲】
【請求項１】
可動取っ手紐の長さ調整操作によりリュックサックにも手提げバックにもなることを特徴とする収納多機能バック。
【請求項２】
前記バック本体は手提げバックの取っ手紐をファスナー内部に納めることによりクッションとなることを特徴とする請求項１記載の収納多機能バック。
【請求項３】
前記バック本体は開閉部分にファスナーを使用し通し穴には小判型アイレットを使用その上で背面部上部紐通し穴及び正面上部裏側に固定させる取っ手紐の固定部分の位置はファスナーの下部であることを特徴とする請求項１記載の収納多機能バック。
【考案の詳細な説明】
【技術分野】
【０００１】
本考案は、主として緊急避難時に持ち出す防災用品の収納多機能バックに関するものである。
【背景技術】
【０００２】
一般に従来の防災用品の収納バックは別個で構成され、紐においても手提げバックは手提げ紐、リュックサックは背負い紐と独立したものであり、紐が自由に動かせず各々の紐を利用し持ち運んでいた。
【考案の開示】
【考案が解決しようとする課題】
【０００３】
上述した従来の収納バックは手提げ紐や背負い紐を各々使用するのみであった。また従来の緊急避難時の商品は独立した商品であり、その用途しか使用できなかった。
【０００４】
本考案の目的はそれぞれ別個の商品を多機能に使用できるよう背面に固定された紐の長さの調整で手提げバック又はリュックサックとなり共に正面、背面の両方の取っ手紐をバック内に収納することによりクッションとして使用できるように工夫し、その形状の変化を楽しむことができる防災用品の収納多機能バックを提供する物である。
【課題を解決するための手段】
【０００５】
本考案はバック本体の背面左底部に1本の平型紐を固定させその端を背面部上方の設けた左右２個の紐通し穴の1つの左穴に外側から内側に通し、もう1つの紐通し右穴の内側から外側に通して背面部に出し、片方の端と同様に背面右底部に固定させる。一方正面上方部内側に同じ平型紐を逆Ｕ字に固定させる。この紐の固定場所はバック本体上部開閉ファスナーの内側下部にする。この部分は常に同じ長さで手提げバックとしての片側の取っ手となる。一方背面紐は常に可動状態にあり下方に引けばリュックサックになり上方に引けば手提げバックの一方の取っ手となる。また上方の紐をバック内に収納しファスナーを閉じればクッションとしての機能が発揮される。この収納バックは紐を操作することによりリュックサック、手提げバック、クッションのいずれの形状に変えて使用できる。
【考案の効果】
【０００６】
本考案により持ち運び時にそれぞれを別途に持ち運ばなくてよくなり、このバッグの中に寝袋、毛布、防寒ブーツ等の防災用品を収納し、リュックにしたり手提げにして運びファスナーの中にそれぞれの紐を収納すればクッションとなり、バックの中から寝袋、毛布、保温ブーツを出し就寝すれば快適な睡眠が得られる持ち運びの便利な多機能バッグである。
【考案を実施するための最良の形態】
【０００７】
本考案による多機能バッグはあらゆる場面に活用可能なバッグである。例えば避難の時、レジャーの時これ一つあれば夜間どんなに冷え込んでもたちまちその寒さから身を守ることが出来る。従来はそれぞれ一つずつ持っていかなければならなかったところ本考案のこの多機能バッグはこれ一つで全てが解決できる最良の形態多機能バッグである。
【実施例１】
【０００８】
図1は本考案の収納多機能バッグをクッションとして使用する場合を示す正面図であり、１は撥水加工生地をキルティング加工したバック本体の
生地である。
【実施例２】
【０００９】
図2は本考案の収納多機能バッグを手提げバッグとして使用する場合を示す背面図であり、１は図１と同様で２は正面平型固定紐、３は背面平型可動紐、４はファスナー、５、６は背面可動紐通し穴、７、８は背面底部紐固定位置である。
【実施例３】
【００１０】
図3は本考案の収納多機能バッグをリュックサックとして使用する場合を示す背面図であり、１は図１と同様で３〜８は図２と同様である。
【実施例４】
【００１１】
図４は本考案の収納多機能バッグの取って紐の紐固定位置とファスナーの場所を示す斜視図であり、４は図２と同様で９、１０は正面上方部の紐固定位置である。
【図面の簡単な説明】
【００１２】
【図１】本考案の防災用品の収納多機能バックをクッションとして使用する場合を示す正面図である。（実施例１）
【図２】同収納多機能バックを手提げバックとして使用する場合を示す背面図である。（実施例２）
【図３】同収納多機能バックをリュックサックとして使用する場合を示す背面図である。（実施例３）
【図４】同収納多機能バックの紐固定部分の場所とファスナーの場所を示す斜視図である。（実施例４）
【符号の説明】
【００１３】
１  バック本体
２  正面平型固定紐
３  背面平型可動紐
４  本体開口用ファスナー
５  背面上方紐通し右穴
６  背面上方紐通し左穴
７  背面右底部の紐固定位置
８  背面左底部の紐固定位置
９  正面上方右部の紐固定位置
１０  正面上方左部の紐固定位置
【図１】
0003111952.tif 000003
【図２】
0003111952.tif 000004
【図３】
0003111952.tif 000005
【図４】
0003111952.tif 000006
(57)【要約】      （修正有）【課題】ミラーボールを連らねる糸類を損傷したり、切断したりしないようにする。【解決手段】ネックレスやブレスレットその他の装身具類に用いるミラーボールであって、ミラーボール加工のためのボール本体１１を加工する際のチャックの指し込み口となり、かつボール本体１１を連ねる糸類の通し孔となる貫通孔１３を有し、前記糸類の接触する貫通孔１３の孔縁１４をなめらかに仕上げた整形部１７を有する。ボール本体１１は無垢であり、それを貫通する孔１５は円筒状のものであるか、又はボール本体１１が中空であり、それを貫通する孔は中空殻に開口したものである。【選択図】図２
0003111959.tif 000002
【実用新案登録請求の範囲】
【請求項１】
ネックレスやブレスレットその他の装身具類に用いるミラーボールであって、ミラーボール加工のためにボール本体を加工する際のチャックの差し込み口となり、かつボール本体を連らねる糸類の通し孔となる貫通孔を有し、前記糸類の接触する貫通孔の両端の孔縁をなめらかに仕上げた整形部を有するミラーボール。
【請求項２】
ボール本体は無垢であり、それを貫通する孔はほぼ円筒状のものである請求項１記載のミラーボール。
【請求項３】
ボール本体は中空であり、それを貫通する孔は中空殻に開口したものである請求項１記載のミラーボール。
【考案の詳細な説明】
【技術分野】
【０００１】
本考案は、ネックレスやブレスレットその他の装身具類に用いるミラーボールに関するものである。
【背景技術】
【０００２】
ボール本体の表面を多面体加工したミラーボールが装身具類にも使用されている。例えば、特開平７−３１３２１９号、或いは特開平１１−４６８２６号はミラーボールを使用した装飾品又は装身具に関する。このようなミラーボールは、球状の部材を装置にチャックして、多面体加工も施すものであり、加工のためにノコギリ歯状の加工跡が残ってしまうという問題がある。そのようなものを部品として使用し、ネックレスやブレスレットを製作した場合、ノコギリ歯状の加工跡がネックレスなどを貫く糸やワイヤーなどを損傷し、切断させる原因となる。
【０００３】
【特許文献１】特開平７−３１３２１９号
【特許文献２】特開平１１−４６８２６号
【考案の開示】
【考案が解決しようとする課題】
【０００４】
本考案は前記の点に着目してなされたもので、その課題は、ミラーボールを連らねる糸類を通しても損傷したり、切断したりしないようにすることである。
【課題を解決するための手段】
【０００５】
前記の課題を解決するため、本考案は、ネックレスやブレスレットその他の装身具類に用いるミラーボールについて、ミラーボール加工のためにボール本体を加工する際のチャックの差し込み口となり、かつボール本体を連らねる糸類の通し孔となる貫通孔を有し、前記糸類の接触する貫通孔の両端の孔縁をなめらかに仕上げた整形部を有するものとするという手段を講じたものである。
【０００６】
ボール本体には貫通孔が開けられており、この貫通孔は、ボール本体を連らねる糸類の通し孔となることは勿論、ミラーボールに加工する段階においてはボール本体を加工する際の、加工機に設けられているチャックの差し込み口となる。即ちボール本体は、貫通孔が先に開けられ、その後ミラーボール加工が施され、最後に糸通しがなされる。
【０００７】
ボール本体は、無垢であり、それを貫通する孔はほぼ円筒状のものと、内部が中空な中空殻であり、それを貫通する孔は中空殻に開口したものとを使用することができる。つまり中実でも中空でもどちらでも良いのであるが、貫通孔の両端の孔縁にはなめらかに仕上げた整形部を有している必要がある。
【０００８】
貫通孔の両端の孔縁に整形部を設けることにより、貫通孔に糸類を差し込んでも糸類が損傷を受けたり切断したりすることはなく、かつ糸類と引っ掛からなくなるため糸類を挿入し易くなり、糸通し作業もスムーズに行えるようになる。
【考案の効果】
【０００９】
本考案は上記の如く構成されかつ作用するものであるから、ミラーボールを連らねるための糸類を貫通孔に挿入する作業が容易になり、孔縁は整形部となっていて糸類をスムーズに差し通せるため、糸類が損傷を蒙ったり、切断されたりすることがないという効果を奏する。
【考案を実施するための最良の形態】
【００１０】
以下図示の実施形態を参照して本考案をより詳細に説明する。図１は本考案に係るミラーボール１０の正面図、図２はその側面図を示しており、図中、１１はほぼ球状のボール本体、１２はその表面に多面体状にミラーボール加工された面、１３はその中心を貫通する貫通孔、１４は孔縁部を示す。
【００１１】
また各図において、１５は無垢のボール本体に開けられた貫通孔、１６は中空のボール本体に開けられた貫通孔を夫々示す。どちらの場合も貫通孔１３の両端の孔縁１４には糸類の接触する整形部１７、１８が面取り状に形成されている。整形部１７は、ボール本体１１の外表面と、円筒状の貫通孔１５とが形成する角を除去したもの、整形部１８はボール本体１１の外表面１２と中空殻に開口した口とが形成する角を除去し、滑らかにしたものであり、糸類が引っ掛かることがないように仕上げられている。
【００１２】
本考案のミラーボールは金属素材を球径に成型してからミラーボール加工する方法、或いは金属パイプを球型に成型したものをミラーボール加工する方法等によって製造することができる。使用する金属としては金又は、銀−銅系の合金、黄銅等があり、ミラーボール加工後、めっき等の後加工をすることもある。
【００１３】
このようなミラーボール１０は、適当な球径のものを任意数個、糸類１９を用いて連らねることにより、ネックレスや、ブレスレットのような装身具を構成するものとなる。図５Ａのように他の構成素子２１の間にミラーボール１０を配置して複合要素による装身具を形成しても良いし、ミラーボール１０を単一種で装身具を形成することもできる。
【図面の簡単な説明】
【００１４】
【図１】本考案に係るミラーボールの例１を示す正面図。
【図２】同上のものの側面図。
【図３】本考案の例２を示す正面図。
【図４】同上のものの側面図。
【図５】Ａは使用方法の例１、Ｂは同じく例２を示す説明図。
【符号の説明】
【００１５】
１０  ミラーボール
１１  ボール本体
１２  外表面
１３、１５、１６  貫通孔
１４  孔縁
１７、１８  整形部
１９  糸類
【図１】
0003111959.tif 000003
【図２】
0003111959.tif 000004
【図３】
0003111959.tif 000005
【図４】
0003111959.tif 000006
【図５】
0003111959.tif 000007